(57)【要約】【課題】  街路５から不審者に建物７内やその敷地内を監視されても不在であることが悟られにくい照明システムを供給することにある。【解決手段】  街路の５一部を所定の検知エリアＡとしこの検知エリアＡ内における人４の存在の有無を検知する人感センサー１と、街路５に隣接された建物７に設けられ人感センサー１が人４の存在を有と検知したときに動作する照明器具３０ａ、３０ｂと、を備えた照明システムであって、照明器具３０ａ、３０ｂは、動作の変化が検知エリアＡ内にいる人４から認識できるとともに照明器具３０ａ、３０ｂの照射範囲の少なくとも一部の範囲が検知エリアＡ内にいる人から見て死角となるように設置されたことを特徴とする照明システム。【選択図】図２
2005222726.tif 000002
【特許請求の範囲】
【請求項１】
街路の一部を所定の検知エリアとしこの検知エリア内における人の存在の有無を検知する人感センサーと、前記街路に隣接された建物に設けられ前記人感センサーが人の存在を有と検知したときに動作する照明器具と、を備えた照明システムであって、前記照明器具は、動作の変化が前記検知エリア内にいる人から認識できるとともに照明器具の照射範囲の少なくとも一部の範囲が前記検知エリア内にいる人から見て死角となるように設置されたことを特徴とする照明システム。
【請求項２】
前記一部の範囲は、前記検知エリア内のどの場所から見ても死角となるものであることを特徴とする請求項１記載の照明システム。
【請求項３】
前記照明器具は、前記建物の前記街路側の室内に設けられたものであることを特徴とする請求項１又は２記載の照明システム。
【請求項４】
前記照明器具は前記建物に複数設けられ、前記人感センサーが人の存在を有と検知したときに、複数の照明器具をランダムに動作させることを特徴とする請求項１乃至３記載の照明システム。
【請求項５】
街路の一部を所定の検知エリアとしこの検知エリア内における人の存在の有無を検知する人感センサーと、前記街路に隣接された建物に設けられ前記人感センサーが人の存在を有と検知したときに動作する照明器具と、を備え、前記照明器具を動作の変化が前記検知エリア内にいる人から認識できるとともに照明器具の照射範囲の少なくとも一部の範囲が前記検知エリア内にいる人から見て死角となるように設置したことを特徴とする照明手法。
【発明の詳細な説明】
【技術分野】
【０００１】
本発明は、街路に隣接した建物及び／又はその敷地を照明する照明システムであって防犯を目的に使用されるものに関する。
【背景技術】
【０００２】
この種の照明システムとしては、実開平０６−０２１１９７号公報に開示されたものがある。図６は、これに開示された照明システムの図で、住宅に照明システムを使用したときの断面図である。このものは、住宅の出入り口４、８の外部を所定の検知エリア１１、１３とし、この検知エリア１１、１３内における人の存在の有無を検知する人感センサー１０、１２と、住宅の出入り口４、８付近から住宅の内側にかけて設けられた複数の照明器具１７〜２０と、人感センサー１０、１２が人の存在を有と検知したときに複数の照明器具１７〜２０を住宅の内側から外側に向けて順次点灯させる制御手段１５と、を備えて構成されている。
【０００３】
このものは、人感センサー１０、１２が人の存在を有と検知したときに複数の照明器具１７〜２０を住宅の内側から外側に向けて順次点灯させることができるので、その動作は、あたかも住宅内に家人が在宅して住宅の内側から出入り口４、８に出てくるように見えるものとなる。したがって検知された人が不審者である場合には、その者の心理を住宅内に家人が在宅しているような心理にさせることができる。
【特許文献１】実開平０６−０２１１９７号公報
【発明の開示】
【発明が解決しようとする課題】
【０００４】
ところが上記した、照明システムでは、住宅に隣接した街路から不審者が住宅内を監視した場合、住宅内に家人が不在のときは住宅内の照明器具１７〜２０には動きがないので監視時間が長いほど不在であることを悟られる可能性が高くなってしてしまうものとなる。
【０００５】
本発明は、上記事由に鑑みてなしたもので、その課題は、街路から不審者に建物内やその敷地内を監視されても不在であることが悟られにくい照明システム及び照明手法を供給することにある。
【課題を解決するための手段】
【０００６】
請求項１に係る発明の照明システムは、街路の一部を所定の検知エリアとしこの検知エリア内における人の存在の有無を検知する人感センサーと、前記街路に隣接された建物に設けられ前記人感センサーが人の存在を有と検知したときに動作する照明器具と、を備えた照明システムであって、前記照明器具は、動作の変化が前記検知エリア内にいる人から認識できるとともに照明器具の照射範囲の少なくとも一部の範囲が前記検知エリア内にいる人から見て死角となるように設置されたことを特徴とする。
【０００７】
請求項２に係る発明の照明システムは、請求項１において、前記一部の範囲は、前記検知エリア内のどの場所から見ても死角となるものであることを特徴とする。
【０００８】
請求項３に係る発明の照明システムは、請求項１又は２において、前記照明器具は、前記建物の前記街路側の室内に設けられたものであることを特徴とする。
【０００９】
請求項４に係る発明の照明システムは、請求項１乃至３において、前記照明器具は前記建物に複数設けられ、前記人感センサーが人の存在を有と検知したときに、複数の照明器具をランダムに動作させることを特徴とする。
【００１０】
請求項５に係る発明の照明手法は、街路の一部を所定の検知エリアとしこの検知エリア内における人の存在の有無を検知する人感センサーと、前記街路に隣接された建物に設けられ前記人感センサーが人の存在を有と検知したときに動作する照明器具と、を備え、前記照明器具を動作の変化が前記検知エリア内にいる人から認識できるとともに照明器具の照射範囲の少なくとも一部の範囲が前記検知エリア内にいる人から見て死角となるように設置したことを特徴とする。
【発明の効果】
【００１１】
請求項１に係る発明にあっては、街路にいる人に対して建物に設けられた照明器具の動作を認識させることができる一方、照明器具の照射範囲のうちで街路にいる人からの死角になるところの人の存否が明確に確認できないので、たとえその死角内に人がいなくても、そこに人がいて照明器具を使用しているような心理にさせることができるものとなるので、街路から不審者に建物内やその敷地内を監視されても不在であることが悟られにくいものとなる。
【００１２】
請求項２に係る発明にあっては、請求項１に記載した効果を奏するうえに、その死角に人がいないことをより悟られにくいものとできる。
【００１３】
請求項３に係る発明にあっては、請求項１又は２に記載した効果を奏するうえに、より少ない光量でも街路にいる人に認識させることができるものとなるので、照明システムの省エネを図ることができる。
【００１４】
請求項４に係る発明にあっては、請求項１乃至３に記載した効果を奏するうえに、この照明システムの動作か、建物を使用する人による動作かがより判別しにくいものとなるので、不在であることがより悟られにくいものとなる。
請求項５に係る発明にあっては、請求項１に記載した効果を奏する。
【発明を実施するための最良の形態】
【００１５】
本発明の請求項１〜５に対応した実施の形態を図１〜３を用いて説明する。図１は照明システムのブロック図、図２は照明システムを住宅に使用したときの説明図、図３は住宅内の照明器具の配置と街路との関係を説明するための説明図である。
この照明システムは、街路５の一部を所定の検知エリアＡとしこの検知エリアＡ内における人４の存在の有無を検知する人感センサー１と、街路５に隣接された建物７に設けられ人感センサー１が人４の存在を有と検知したときに動作する照明器具３０ａ、３０ｂと、を備えて構成されている。そして、照明器具３０ａ、３０ｂは、動作の変化が検知エリアＡ内にいる人４から認識できるとともに照明器具３０ａ、３０ｂの照射範囲の少なくとも一部の範囲が検知エリアＡ内にいる人から見て死角となるように設置されている。
【００１６】
以下、この照明システムを詳しく説明する。
街路５には、電柱が設置されており、この電柱に街路照明器具３１と、人感センサー１と、送信部２ａと、が取り付けられている。
また、建物７は住宅であり、この建物７には、受信部２ｂと、制御部３と、照明器具３０ａ、３０ｂと、が設けられている
人感センサー１は、街路５の一部を所定の検知エリアＡとしこの検知エリアＡ内における人４の存在の有無を検知し、検知信号を出力している。
送信部２ａは、人感センサー１からの検知信号を受けて、これを無線信号に変換して建物７に設けられた受信部２ｂに送信するものである。
受信部２ｂは、送信部２ａからの無線信号を受信して制御部３に伝えるものである。
制御部３は、人感センサー１が人４の存在を有と検知した信号を受けて照明器具３０ａ、３０ｂの動作を変化させるものである。
【００１７】
照明器具３０ａ、３０ｂは、動作の変化が検知エリアＡ内にいる人４から認識しやすいように建物７の街路５側の室内に設けられている。そして照明器具３０ａ、３０ｂは、その照射範囲の一部の範囲が検知エリアＡ内のどの場所から見ても死角となるように室内に設置されている。詳しくは、照明器具３０ａは建物の２階の部屋の天井より吊り下げて取り付けられている。この部屋には、街路５に面して窓が設けられており、これにより照明器具３０ａの窓より下側の照射範囲は、街路５の検知エリアＡにいる人からは検知エリアＡのどの場所から見ても死角となっている。また、照明器具３０ｂは建物の２階の部屋の壁面に取り付けられており、同様に照明器具３０ｂの窓より下側となる照射範囲は、街路５の検知エリアＡにいる人からは検知エリアＡのどの場所から見ても死角となっている。
【００１８】
なお、制御部３は、検知エリアＡ内での人の検知信号を受ける毎に、動作させる照明器具を変えることができるように構成されており、具体的には、人の検知信号を受ける毎に、照明器具３０ａの点灯→照明器具３０ｂの点灯→照明器具３０ａの消灯→照明器具３０ｂの消灯→照明器具３０ａの点灯（以降、繰り返し）という具合に制御できるものとなっている。
【００１９】
次に、この照明システムの動作を説明する。まず、人４が街路５を通り建物７に近づき人感センサー１の検知エリアＡ内に入ったときを説明する。このとき人感センサー１は、検知エリアＡ内における人４の存在を有とする検知信号を出力する。送信部２ａは、この検知信号を無線信号にして建物７に設けられた受信部２ｂに送信する。そして、受信部２ｂは、送信部２ａからの無線信号を受信して制御部３に伝える。制御部３は、人感センサー１が人４の存在を有と検知した信号を受けて照明器具３０ａを点灯させる。このとき人４からは、建物７の照明３０ａが点灯したことが認識でき、また、照明器具３０ａの窓より下側の照射範囲には、家人がいるともいないとも判断できない。人４が人感センサー１の検知エリアＡ内から立ち去った後も照明器具３０ａは、点灯を継続する。
【００２０】
再び、人４が街路５を通り人感センサー１の検知エリアＡ内に入ったときの動作を説明する。人感センサー１は、検知エリアＡ内における人４の存在を有とする検知信号を出力する。送信部２ａは、この検知信号を無線信号にして建物７に設けられた受信部２ｂに送信する。そして、受信部２ｂは、送信部２ａからの無線信号を受信して制御部３に伝える。制御部３は、人感センサー１が人４の存在を有と検知した信号を受けて照明器具３０ｂを点灯させる。このとき人４からは、建物７の照明３０ｂが点灯したことが認識でき、また、照明器具３０ｂの窓より下側の照射範囲には、家人がいるともいないとも判断できない。人４が人感センサー１の検知エリアＡ内から立ち去った後も照明器具３０ｂは、点灯を継続する。この状態では、照明器具３０ａ、３０ｂが点灯していることになる。
【００２１】
さらに、人４が街路５を通り人感センサー１の検知エリアＡ内に入ったとは、前述したものと同じように人感センサー１は、検知エリアＡ内における人４の存在を有と検知し、制御部３は、人感センサー１が人４の存在を有と検知した信号を受ける。そして制御部３は、照明器具３０ａを消灯させる。このとき人４からは、建物７の照明３０ａが消灯したことが認識できる。
【００２２】
さらに、人４が街路５を通り人感センサー１の検知エリアＡ内に入ったとは、前述したものと同じように人感センサー１は、検知エリアＡ内における人４の存在を有と検知し、制御部３は、人感センサー１が人４の存在を有と検知した信号を受ける。そして制御部３は、照明器具３０ｂを消灯させる。この状態では、照明器具３０ａ、３０ｂ共に消灯する。このとき人４からは、建物７の照明３０ｂが消灯したことが認識できる。
【００２３】
以降、センサー１の検知エリアＡ内に入４が入ったときは、再び照明器具３０ａを点灯させ、以降は前記したことを繰り返す。
【００２４】
この実施の形態によると、照明器具３０ａ、３０ｂは、動作の変化が検知エリアＡ内にいる人４から認識できるとともに照明器具３０ａ、３０ｂの照射範囲の少なくとも一部の範囲が検知エリアＡ内にいる人４から見て死角となるように設置されているので街路５にいる人４に対して建物７に設けられた照明器具３０ａ、３０ｂの動作を認識させることができる一方、照明器具３０ａ、３０ｂの照射範囲のうちで街路５にいる人４からの死角になるところの家人の存否が明確に確認できないので、たとえその死角内に家人がいなくても、そこに家人がいて照明器具を使用しているような心理にさせることができるものとなるので、街路から不審者に建物内やその敷地内を監視されても不在であることが悟られにくいものとなる。
【００２５】
また、照明器具３０ａ、３０ｂの照射範囲の一部は、検知エリアＡ内のどの場所から見ても死角となるものとしたことにより、その死角に家人がいないことをより悟られにくいものとできるものとなる。
【００２６】
また、照明器具３０ａ、３０ｂは、建物７の街路５側の室内に設けられたものであることにより、より少ない光量でも街路５にいる人４に認識させることができるものとなるので、照明システムの省エネを図ることができるものとなる。
【００２７】
なお、前記した照明器具３０ａ、３０ｂの点灯のさせ方については、これをランダムに動作させてもよく、このようにすることによりこの照明システムの動作か、建物７を使用する人による動作かがより判別しにくいものとなるので、不在であることがより悟られにくいものとできる。
【００２８】
また、照明器具３０ａ、３０ｂの動作の変化を点灯と消灯により説明したが、この動作の変化については、点灯と調光、あるいは、点灯するが一定時間後には消灯するなど、とにかくその動作の変化が検知エリアＡ内にいる人４から見てわかるものであればよい。
この実施の形態において照明器具の台数は、２台で説明したが、これは１台あるいは３台以上であってもよく、適宜その台数を選択すればよい。
【００２９】
次に、この実施の形態応用例を説明する。図４、図５は、これを説明するための図であり、図４は、あるときに人４が街路５を通ったときのこの街路に隣接した建物７の照明器具の点灯状態を示す説明図、図５は、別のときに人４が街路５を通ったときのこの街路に隣接した建物７の照明器具の点灯状態を示す説明図である。（共に、斜線で示した建物７の照明器具が点灯している。）
このものは、実施の形態にて説明した照明システムをこの街路５に隣接した建物７すべてに設けたものである。その他の実施の形態と同一の構成部材には、同一符号を付すことにより説明を省略する。
【００３０】
このものにおいて制御部３の動作の初期設定を各建物７の家人が適宜設定することにより、あるときに人４が街路５を通ったときの、この街路に隣接した建物７の照明器具の点灯状態は、図４のようになる場合や、あるいは図５のようになる場合などにできる。このように点灯パターンが一定にならないことで、街路５全体での防犯効果をより高めることができるものとなる。
【図面の簡単な説明】
【００３１】
【図１】本発明の第１の実施の形態に係る照明システムのブロック図。
【図２】同上の照明システムを住宅に使用したときの説明図。
【図３】同上の照明システムの住宅内の照明器具の配置と街路との関係を説明するための説明図。
【図４】本発明の応用例を示す図で、あるときに人が街路を通ったときのこの街路に隣接した建物の照明器具の点灯状態を示す説明図。
【図５】本発明の応用例を示す図で、図４とは、別ときに人が街路を通ったときのこの街路に隣接した建物の照明器具の点灯状態を示す説明図。
【図６】従来例に係る照明システムの図で、住宅に照明システムを使用したときの断面図。
【符号の説明】
【００３２】
１      人感センサー
３      制御部
４      人
５      街路
７      建物
３０ａ  照明器具
３０ｂ  照明器具
【図１】
2005222726.tif 000003
【図２】
2005222726.tif 000004
【図３】
2005222726.tif 000005
【図４】
2005222726.tif 000006
【図５】
2005222726.tif 000007
【図６】
2005222726.tif 000008